(57)【要約】【課題】  筒体の水槽本体からの突出長を短くすることのできる貯水槽を提供する。【解決手段】  仕切壁１５で内部を室Ａ，Ｂに区画された水槽本体１１の側壁１３の外に、底にコック２０で開閉できる通水口１９ａを備えた透明な筒体１９を上下方向に固定し、１組の電極棒２１ａ，２１ｂ，２１ｃを吊り下げた電極保持器２１を筒体１９の上端に取り付けて１組の電極棒２１ａ，２１ｂ，２１ｃを筒体１９内に吊り下げ、室Ａ，Ｂと筒体１９とを連通管２２Ａ，２２Ｂで連通するとともに、室Ａ，Ｂの一方と筒体１９とを連通状態にし、室Ａ，Ｂの他方と筒体１９とを非連通状態にすることのできる弁２４を備えた貯水槽において、水槽本体１１の側壁１３を構成する横方向の１つの側壁パネル１３ａに連通管２２Ａ，２２Ｂで筒体１９を取り付ける。【選択図】    図２
2005282322.tif 000002
【特許請求の範囲】
【請求項１】
仕切壁で内部を２室に区画された水槽本体の側壁の外に、底に開閉弁で開閉できる通水口を備えた透明な筒体を上下方向に固定し、１組の電極棒を吊り下げた電極保持器を前記筒体の上端に取り付けて前記１組の電極棒を前記筒体内に吊り下げ、前記２室と前記筒体とを連通管で連通するとともに、前記２室の一方と前記筒体とを連通状態にし、前記２室の他方と前記筒体とを非連通状態にすることのできる弁を備えた貯水槽において、
前記水槽本体の側壁を構成する横方向の１つの側壁パネルに前記連通管で前記筒体を取り付けた、
ことを特徴とする貯水槽。
【請求項２】
請求項１に記載の貯水槽において、
前記弁を三方弁にした、
ことを特徴とする貯水槽。
【請求項３】
請求項２に記載の貯水槽において、
前記三方弁に、前記２室を連絡する連絡管を兼用させた、
ことを特徴とする貯水槽。
【請求項４】
請求項１から請求項３のいずれか１項に記載の貯水槽において、
前記水槽本体の側壁を構成する横方向の１つの側壁パネルと前記連通管とが形成する空間内に前記筒体を位置させた、
ことを特徴とする貯水槽。
【発明の詳細な説明】
【技術分野】
【０００１】
この発明は、貯水槽内の水位を監視する水位監視装置を備えた貯水槽に関するものである。
【背景技術】
【０００２】
貯水槽は、貯水槽内を清掃しながら給水できるように、水槽本体の内部が２室に区画され、開閉弁を備えた連絡管で両室が連通されている。
そして、貯水槽には、貯水槽内の水位の変動を監視し、給水によって貯水槽内の水位が補給水位まで下がると、貯水槽内に水を補給させ、また、水の補給によって貯水槽内の水位が満水水位まで上がると、水の補給を停止させる水位監視装置が設けられている。
このような水位監視装置は、水槽本体の側壁の外に取り付けられている。
【特許文献１】実用新案登録第２６０２２５１号公報
【発明の開示】
【発明が解決しようとする課題】
【０００３】
上記した水位監視装置は、側壁を構成する側壁パネル同士を接続する縦方向のフランジ部を跨ぐ連通管によって側壁パネルに取り付けられている。
したがって、貯水槽を補強するためにフランジ部に縦方向の補強材を取り付けると、補強材の突出長分だけ水位監視装置が側壁パネルからさらに突出することになり、貯水槽の設置スペースが広くなる。
また、水位監視装置が側壁パネルから突出する長さが長くなることにより、水位監視装置の補強対策が必要になってくる。
【課題を解決するための手段】
【０００４】
この発明は、以下のような発明である。
（１）仕切壁で内部を２室に区画された水槽本体の側壁の外に、底に開閉弁で開閉できる通水口を備えた透明な筒体を上下方向に固定し、１組の電極棒を吊り下げた電極保持器を前記筒体の上端に取り付けて前記１組の電極棒を前記筒体内に吊り下げ、前記２室と前記筒体とを連通管で連通するとともに、前記２室の一方と前記筒体とを連通状態にし、前記２室の他方と前記筒体とを非連通状態にすることのできる弁を備えた貯水槽において、前記水槽本体の側壁を構成する横方向の１つの側壁パネルに前記連通管で前記筒体を取り付けたことを特徴とする。
（２）（１）に記載の貯水槽において、前記弁を三方弁にしたことを特徴とする。
（３）（２）に記載の貯水槽において、前記三方弁に、前記２室を連絡する連絡管を兼用させたことを特徴とする。
（４）（１）から（３）のいずれか１つに記載の貯水槽において、前記水槽本体の側壁を構成する横方向の１つの側壁パネルと前記連通管とが形成する空間内に前記筒体を位置させたことを特徴とする。
【発明の効果】
【０００５】
この発明によれば、水槽本体の側壁を構成する横方向の１つの側壁パネルに連通管で筒体を取り付けたので、すなわち、側壁パネル同士を接続する縦方向のフランジ部を跨ぐように連通管を取り付けないので、フランジ部の間に縦方向の補強材を取り付けた場合であっても、補強材の高さ分だけ筒体の水槽本体からの突出長を短くすることができる。
したがって、貯水槽の設置スペースが狭くて済むようになる。
そして、弁を三方弁にしたので、連通管の水槽本体からの突出長を短くして、筒体の水槽本体からの突出長を短くすることができる。
さらに、三方弁に、２室を連絡する連絡管を兼用させたので、連絡管およびこの連絡管に取り付ける開閉弁を別途設ける必要がなく、構成が簡単になる。
そして、水槽本体の側壁を構成する横方向の１つの側壁パネルと連通管とが形成する空間内に筒体を位置させたので、連通管で筒体を保護することができる。
【発明を実施するための最良の形態】
【０００６】
以下、この発明の実施例を図に基づいて説明する。
図１はこの発明の第１実施例である貯水槽の平断面図、図２は図１の要部の拡大部分平断面図、図３は図１の図２に示した部分の拡大部分側面図である。
なお、図１および図３においては、側壁パネルの横方向へ延びるフランジ部の図示が省略されている。
そして、以下の平断面図においても、側壁パネルの横方向へ延びるフランジ部の図示が省略されている。
【０００７】
図１において、１１は水槽本体を示し、一辺が１ｍの正方形をした８枚の底壁パネル１２ａを長方形に接続した底壁１２と、縦が２ｍで、横が１ｍの８枚の長方形をした側壁パネル１３ａを底壁１２の周囲に平面視長方形に並べた側壁１３と、この側壁１３の天井面を閉塞する底壁パネル１２ａと同じ大きさの天井パネル（図示省略）を底壁１２と同じ長方形に接続した天井（図示省略）とで構成されている。
【０００８】
１５は仕切壁を示し、ほぼ側壁パネル１３ａと同じ大きさの２枚の仕切壁パネル１５ａで構成され、水槽本体１１内を２つの室Ａ，Ｂに区画するものである。
１６は補強材を示し、側壁パネル１３ａ同士を接続する縦方向のフランジ部１３ｆに取り付けられ、収容した水の重量によって側壁パネル１３ａが外側へ膨らむのを防止するものである。
１７は室Ａと室Ｂとを連絡する連絡管、１８は連絡管１７に取り付けられた開閉弁を示す。
１９は底を有する透明な筒体を示し、底に開閉弁としてのコック２０で開閉することのできる通水口１９ａが設けられている。
【０００９】
２１は筒体１９の上端に取り付けられた電極保持器を示し、コモン電極棒２１ａと、補給水位検出電極棒２１ｂと、満水水位検出電極棒２１ｃとからなる１組の電極棒が取り付けられ、筒体１９内に下向きに吊り下げられている。
２２Ａ，２２Ｂは連通管を示し、側壁１３を構成する横方向の１つの側壁パネル１３ａに筒体１９を上下方向に固定するものである。
そして、連通管２２Ａは室Ａの底部と筒体１９の下端部分とを連通するとともに、室Ａの高さ方向の中程と筒体１９の高さ方向の中程とを連通する。
また、連通管２２Ｂは室Ｂの底部と筒体１９の下端部分とを連通するとともに、室Ｂの高さ方向の中程と筒体１９の高さ方向の中程とを連通する。
【００１０】
２３Ａ，２３Ｂは通気管を示し、通気管２２Ａ，２２Ｂが取り付けられた側壁１３を構成する側壁パネル１３ａに筒体１９を上下方向に固定するものである。
そして、通気管２３Ａは室Ａ内の満水水位よりも上側の部分と筒体１９の上端部分とを連通する。
また、通気管２３Ｂは室Ｂ内の満水水位よりも上側の部分と筒体１９の上端部分とを連通する。
そして、この２つの通気管２３Ａ，２３Ｂを、いずれか一方の１つにしても、同様な効果を得ることができる。
【００１１】
２４は三方弁を示し、筒体１９と連通管２２Ａ，２２Ｂとの接続部分に設けられ、室Ａと筒体１９とを連通させるとともに、室Ｂと筒体１９とを非連通にさせたり、室Ｂと筒体１９とを連通させるとともに、室Ａと筒体１９とを非連通にさせたり、連通管２２Ａ，２２Ｂを介して室Ａと室Ｂとを連通させるとともに、筒体１９と連通管２２Ａ，２２Ｂとを非連通にさせたり、筒体１９と連通管２２Ａとを非連通にさせ、筒体１９と連通管２２Ｂとを非連通にさせるとともに、連通管２２Ａと連通管２２Ｂとを非連通にさせたり、筒体１９と連通管２２Ａとを連通させ、筒体１９と連通管２２Ｂとを連通させるとともに、連通管２２Ａと連通管２２Ｂとを連通させることができるものである。
【００１２】
３１は、連通管２２Ａ，２２Ｂと筒体１９との間、および、通気管２３Ａ，２３Ｂと筒体１９との間に設けられたユニオンを示す。
【００１３】
次に、１組の電極棒が正確に作動するか否かの検査について説明する。
まず、三方弁２４を、例えば、室Ａと筒体１９とを非連通させるとともに、室Ｂと筒体１９とを非連通にさせる状態に切り替える。
そして、コック２０を開放させて筒体１９内の水を通水口１９ａから排出させた後、コック２０に給水ホースをつなぎ、通水口１９ａから筒体１９内へ給水しながら１組の電極棒が正常に作動するかを調べる。
なお、コック２０に給水ホースをつなぎ、通水口１９ａから筒体１９内へ給水して筒体１９内を満たした後、コック２０を開いて通水口１９ａから水を排出させながら１組の電極棒が正常に作動するかを調べこともできる。
また、筒体１９が透明なので、各電極棒２１ａ，２１ｂ，２１ｃを透視し、目視による検査もできる。
【００１４】
そして、検査が終ったら三方弁２４を、筒体１９と連通管２２Ａとを連通させ、筒体１９と連通管２２Ｂとを連通させるとともに、連通管２２Ａと連通管２２Ｂとを連通させる状態に切り替える。
なお、検査において、不適当な長さの電極棒があった場合は、連通管２２Ａ，２２Ｂと三方弁２４とを非連通状態とし、ユニオン３１を操作することによって筒体１９を取り外した状態でその電極棒を交換すればよい。
また、筒体１９の内面に付着した水垢、汚れなどの清掃も、同様な操作によって容易に行うことができる。
【００１５】
また、開閉弁１８を開けることにより、両室Ａ，Ｂ室を連通させて１槽式の水槽として使用するときは、両室Ａ，Ｂの水位は同じになるので、連通管２２Ａまたは連通管２２Ｂの一方を介して室Ａまたは室Ｂと筒体１９とを連通させるように三方弁２４を切り替えればよい。
そして、開閉弁１８を閉じることにより、例えば、室Ａ内を清掃し、室Ｂの水を給水するときは、室Ｂと筒体１９とを連通させるとともに、室Ａと筒体１９とを非連通にさせる状態に三方弁２４を切り替え、室Ｂの水位の変動を監視する。
逆に、室Ｂ内を清掃し、室Ａの水を給水するときは、室Ａと筒体１９とを連通させるとともに、室Ｂと筒体１９とを非連通にさせる状態に三方弁２４を切り替え、室Ａの水位の変動を監視する。
【００１６】
上述したように、この発明の第１実施例によれば、水槽本体１１の側壁１３を構成する横方向の１つの側壁パネル１３ａに連通管２２Ａ，２２Ｂで筒体１９を取り付けたので、すなわち、側壁パネル１３ａ同士を接続する縦方向のフランジ部１３ｆを跨ぐように連通管２２Ａ，２２Ｂを取り付けないので、フランジ部１３ｆの間に縦方向の補強材１６を取り付けた場合であっても、補強材１６の高さ分だけ筒体１９の水槽本体１１からの突出長を短くすることができる。
したがって、貯水槽の設置スペースが狭くて済むようになる。
そして、弁を三方弁２４にしたので、連通管２２Ａ，２２Ｂの水槽本体１１からの突出長を短くして、筒体１９の水槽本体１１からの突出長を短くすることができる。
さらに、三方弁２４に、各室Ａ，Ｂを連絡する連絡管を兼用させたので、連絡管１７およびこの連絡管１７に取り付ける開閉弁１８を別途設ける必要がなく、構成が簡単になる。
【００１７】
図４はこの発明の第２実施例である貯水槽の図２と同様な要部の拡大部分平断面図、図５は図４に示した部分の拡大部分側面図であり、図１〜図３と同一または相当部分に同一符号を付してその説明を省略する。
【００１８】
この実施例は、水槽本体１１の側壁１３を構成する横方向の１つの側壁パネル１３ａと連通管２２Ａ，２２Ｂとが形成する空間内に筒体１９を位置させている。
なお、１組の電極棒の検査などは、第１実施例と同様になるので、それらの説明を省略する。
【００１９】
この実施例においても、第１実施例と同様な効果を得ることができる他、水槽本体１１の側壁１３を構成する横方向の１つの側壁パネル１３ａと連通管２２Ａ，２２Ｂとが形成する空間内に筒体１９を位置させたので、連通管２２Ａ，２２Ｂで筒体１９を保護することができる。
【００２０】
図６はこの発明の第３実施例である貯水槽の図２と同様な要部の拡大部分平断面図、図７は図６に示した部分の拡大部分側面図であり、図１〜図５と同一または相当部分に同一符号を付してその説明を省略する。
【００２１】
図６または図７において、２０Ａは開閉弁を示し、筒体１９の底に取り付けられ、通水口１９ａを開閉するものである。
２５は室Ｂを構成する底壁１２に取り付けられた排水管、２６は排水管２５に取り付けられた開閉弁、２７は側壁パネル１３の上部に取り付けられた溢水管、２８は接続管を示し、この接続管２８は、筒体１９の下端と排水管２５の下端とを溢水管２７の下端に接続するものである。
２９は排水口を示し、溢水管２７の下端に対向させて配置され、溢水管２７からの水を排出するためのものである。
なお、排水管２５および開閉弁２６は、図示を省略されているが、室Ａ側にも設けられ、図示を省略した接続管で溢水管２７に接続されている。
【００２２】
４１，４２は接続フランジ部を示し、筒体１９の下端部分で、開閉弁２０Ａよりも上側（上流側）に設けられ、筒体１９の主要部分（各電極棒２１ａ，２１ｂ，２１ｃを収容する部分）を着脱可能とするためのものである。
【００２３】
この実施例における１組の電極棒の検査などは、第１実施例と同様になるので、それらの説明を省略する。
なお、この実施例では、筒体１９、開閉弁２０Ａ、電極保持器２１〜排水口２９を室Ａ側にも設けてもよい。
【００２４】
この実施例においても、第１実施例と同様な効果を得ることができる他、筒体１９および排水管２５を溢水管２７に接続したので、排水口２９が１つとなることにより、排水配管系統が簡単となり、排水配管系統の設置を簡便に行うことができる。
【００２５】
図８はこの発明の第４実施例である貯水槽の側面図であり、図１〜図７と同一または相当部分に同一符号を付してその説明を省略する。
【００２６】
図８において、１３ｂは側壁１３を構成する側壁パネルを示し、一辺が１ｍの正方形とされている。
そして、この側壁パネル１３ｂは側壁パネル１３ａの下側にフランジ部１３ｆで接続され、側壁パネル１３ａと側壁パネル１３ｂとは全体として縦が３ｍで、横が１ｍの側壁パネルとなる。
【００２７】
この実施例における１組の電極棒の検査などは、第１実施例と同様になるので、それらの説明を省略する。
なお、この発明は、図８に示すように、側壁パネル１３ａ，１３ｂを積み重ねた貯水槽にも適用することができる。
【００２８】
上記した実施例では、貯水槽の大きさを示すために各パネル１２ａ，１３ａ，１３ｂなどの大きさを例示したが、各パネル１２ａ，１３ａ，１３ｂなどの大きさはこれらに限定されるものではない。
また、開閉弁１８を取り付けた連絡管１７を水槽本体１１の外側に取り付けた例を示したが、開閉弁１８を取り付けた連絡管１７を仕切壁１５に取り付け、水槽本体１１の外部から開閉弁１８を開閉できる構成にしたり、三方弁２４が連絡管１７および開閉弁１８の機能を有するので、連絡管１７および開閉弁１８を設けなくてもよい。
さらに、筒体１９への光を遮断する遮光カバーの図示を省略したが、水質を保つためにも遮光カバーを設けるのが望ましい。
そして、電極保持器２１に３本を１組とした電極棒を吊り下げた例を示したが、１組の電極棒は３本以上であってもよい。
【図面の簡単な説明】
【００２９】
【図１】この発明の第１実施例である貯水槽の平断面図である。
【図２】図１の要部の拡大部分平断面図である。
【図３】図１の図２に示した部分の拡大部分側面図である。
【図４】この発明の第２実施例である貯水槽の図２と同様な要部の拡大部分平断面図である。
【図５】図４に示した部分の拡大部分側面図である。
【図６】この発明の第３実施例である貯水槽の図２と同様な要部の拡大部分平断面図である。
【図７】図６に示した部分の拡大部分側面図である。
【図８】この発明の第４実施例である貯水槽の側面図である。
【符号の説明】
【００３０】
１１    水槽本体
１２    底壁
１２ａ  底壁パネル
１３    側壁
１３ａ  側壁パネル
１３ｂ  側壁パネル
１３ｆ  フランジ部
１５    仕切壁
１５ａ  仕切壁パネル
１６    補強材
１７    連絡管
１８    開閉弁
１９    筒体
１９ａ  通水口
２０    コック（開閉弁）
２０Ａ  開閉弁
２１    電極保持器
２１ａ  コモン電極棒
２１ｂ  補給水位検出電極棒
２１ｃ  満水水位検出電極棒
２２Ａ  連通管
２２Ｂ  連通管
２３Ａ  通気管
２３Ｂ  通気管
２４    三方弁
２５    排水管
２６    開閉弁
２７    溢水管
２８    接続管
２９    排水口
３１    ユニオン
４１    接続フランジ部
４２    接続フランジ部
Ａ，Ｂ  室
【図１】
2005282322.tif 000003
【図２】
2005282322.tif 000004
【図３】
2005282322.tif 000005
【図４】
2005282322.tif 000006
【図５】
2005282322.tif 000007
【図６】
2005282322.tif 000008
【図７】
2005282322.tif 000009
【図８】
2005282322.tif 000010